(57)【要約】【課題】アンカーボルトと土台に穿設したボルト挿通穴、及び、アンカーボルトと座金付きボルトとを正確に位置決めすることができ、所望の引き抜き力以上の耐力を確保することのできるボルト補正金物を提供する。【解決手段】板状の基部２と、基部２に立設されたボルト３と、ボルト３を挟んで両側に穿設された穴部４と、基部２からボルト３とは反対方向に延設された脚部５とを備えるボルト補正金物１。ボルト３は、基部２の略々中央部に立設され、各々の穴部４は、ボルト３から基部２の長手方向に等距離の位置に穿設されることが好ましい。穴部４は、基部２の長手方向に対して直角な方向を長手方向とする長穴とし、脚部５は、基部２の両端部から長手方向に延設することが好適である。【選択図】　図１
2004036704.tif 000002
【特許請求の範囲】
【請求項１】
板状の基部と、
該基部に立設されたボルトと、
該ボルトを挟んで両側に穿設された穴部と、
前記基部から前記ボルトとは反対方向に延設された脚部とを備えることを特徴とするボルト補正金物。
【請求項２】
前記ボルトは、前記基部の略々中央部に立設されることを特徴とする請求項１記載のボルト補正金物。
【請求項３】
前記各々の穴部は、前記ボルトから前記基部の長手方向に等距離の位置に穿設されることを特徴とする請求項１または２記載のボルト補正金物。
【請求項４】
前記穴部は、前記基部の長手方向に対して直角な方向を長手方向とする長穴であることを特徴とする請求項１、２または３記載のボルト補正金物。
【請求項５】
前記脚部は、前記基部の両端部から長手方向に延設されることを特徴とする請求項１乃至４のいずれかに記載のボルト補正金物。
【発明の詳細な説明】
【０００１】
【発明の属する技術分野】
本発明は、ボルト補正金物に関し、特に、軸組工法及び枠組壁工法において、引き寄せ金物等とともに使用されるボルト補正金物に関する。
【０００２】
【従来の技術】
従来、軸組工法及び枠組壁工法において、建物に風圧力や地震力が作用した際に、耐力壁脚部または柱に加わる引き抜き力を下部構造体に伝達するため、引き寄せ金物が使用されている。この引き寄せ金物には、引き抜き力以上の耐力を備えたものを選択する必要がある。
【０００３】
この引き寄せ金物と下部コンクリートとを緊結するにあたって、例えば、土台受け梁の中央部に緊結する場合であって、比較的引き抜き力が大きい場合には、図５（ａ）に示すように、下部コンクリート５３に埋め込まれたアンカーボルト５１を直接引き寄せ金物５１に繋いでいる。一方、比較的引き抜き力が小さい場合には、図５（ｂ）に示すように、下部コンクリート６３に２本のアンカーボルト６２を埋め込み、土台６５の底部から立設した座金付きボルト６４を引き寄せ金物６１に繋いでいる。
【０００４】
【発明が解決しようとする課題】
しかし、上記従来の技術において、図５（ｂ）に示すような緊結方法を用いると、下部コンクリート６３にアンカーボルト６２を２本配置しているが、アンカーボルト６２と土台６５の図示しないボルト挿通穴との位置関係、及び、座金付きボルト６４との位置関係が正確でないと、２本のアンカーボルト６２の突出部または座金付きボルト６４が鉛直方向に延設されず、この部分での強度が低下し、引き抜き力以上の耐力を得ることができないおそれがあった。特に、２本のアンカーボルト６２の間隔が広い場合には、強度の低下が顕著になるという問題があった。
【０００５】
そこで、本発明は、上記従来の技術における問題点に鑑みてなされたものであって、アンカーボルトと土台に穿設したボルト挿通穴、及び、アンカーボルトと座金付きボルトとを正確に位置決めすることができ、所望の引き抜き力以上の耐力を確保することのできるボルト補正金物を提供することを目的とする。
【０００６】
【課題を解決するための手段】
上記目的を達成するため、本発明は、ボルト補正金物であって、板状の基部と、該基部に立設されたボルトと、該ボルトを挟んで両側に穿設された穴部と、前記基部から前記ボルトとは反対方向に延設された脚部とを備えることを特徴とする。
【０００７】
そして、本発明によれば、板状の基部を土台等の上に載置し、穴部に下部コンクリート等に埋め込んだアンカーボルトを挿通させ、基部と一体のボルトを引き寄せ金物に繋ぐことによって、アンカーボルトと引き寄せ金物等を正確に位置決めした状態で緊結することができるため、引き抜き力以上の耐力を確保することができる。
【０００８】
前記ボルト補正金物において、前記ボルトを前記基部の略々中央部に立設することが好ましく、前記各々の穴部は、前記ボルトから前記基部の長手方向に等距離の位置に穿設することが好適である。また、前記穴部を、前記基部の長手方向に対して直角な方向を長手方向とする長穴とし、前記脚部を、前記基部の両端部から長手方向に延設することが好適である。
【０００９】
【発明の実施の形態】
次に、本発明にかかるボルト補正金物の実施の形態の具体例を図面を参照しながら説明する。
【００１０】
図１及び図２は、本発明にかかるボルト補正金物の一実施例を示し、このボルト補正金物１は、鋼製であって、大別して、板状の基部２と、基部２に立設されたボルト３と、ボルト３を挟んで両側に穿設された穴部４（４Ａ、４Ｂ）と、基部２からボルトとは反対方向に延設された脚部５とを備える。
【００１１】
ボルト３は、基部２の中央部に立設され、このボルト３が従来例で示した座金付きボルトのように機能し、後述するように、引き寄せ金物等に繋がれる。穴部４Ａ、４Ｂは、ボルト３を挟んでボルト補正金物１の長手方向に等距離の位置に穿設され、基部２の長手方向に対して直角な方向を長手方向とする長穴として形成されている。脚部５は、基部２の両端部から長手方向に延設される。基部２の底面側には、補強のためにリブ２ａが複数配置される。
【００１２】
次に、上記構成を有するボルト補正金物１の使用例について、図３及び図４を参照しながら説明する。尚、本実施例においては、ボルト補正金物１を枠組壁工法の耐力壁脚部に使用した場合について説明する。
【００１３】
図４に示すように、下部コンクリート１３に埋め込まれた２本のアンカーボルト１２をボルト補正金物１の穴部４に挿通させながら、ボルト補正金物１を下部コンクリート１３上に載置する。ここで、穴部４は、長穴に形成されているため、アンカーボルト１２の位置ずれを吸収することができる。ボルト補正金物１を下部コンクリート１３上に載置すると同時に、基部２上のボルト３が上方に向かって延設される。
【００１４】
次に、土台１５の図示しない貫通穴にボルト３を挿通させながら、ボルト補正金物１の上に土台１５を載置し、土台１５の凹部１５ａにおいて座金１６及びナット１７を介して土台１５をアンカーボルト１２に緊結する。そして、図４に示すように、土台１５の上に、根太１８、側根太１９、床下地材２０、壁下地材２１、下枠２７を配置し、耐力壁に一体化した引き寄せ金物１１に、座金２４及びナット２５介してボルト３を緊結する。
【００１５】
最後に、石膏ボード２２、ラスモルタル２３、水切り２４を設けて耐力壁脚部の施工が完了する。
【００１６】
このように構成することにより、ボルト補正金物１のボルト３は、ボルト補正金物１を下部コンクリート１３上に載置するだけで正確に鉛直上方に向かって延設された状態で引き寄せ金物１１に緊結されるため、ボルト３が下部コンクリート１３に埋め込まれているのと同様の状態を得ることができ、引き抜き力以上の耐力を十分に確保することができる。
【００１７】
【発明の効果】
以上説明したように、本発明によれば、アンカーボルトと土台に穿設したボルト挿通穴、及び、アンカーボルトと座金付きボルトとを正確に位置決めすることができ、所望の引き抜き力以上の耐力を確保することのできるボルト補正金物を提供することができる。
【図面の簡単な説明】
【図１】本発明にかかるボルト補正金物の一実施例を示す斜視図である。
【図２】図１のボルト補正金物を示す図であって、（ａ）は正面図、（ｂ）は側面図、（ｃ）は底面図である。
【図３】本発明にかかるボルト補正金物の使用例を示す断面図である。
【図４】図３のボルト補正金物及びその周辺部の側面図である。
【図５】従来の引き寄せ金物と下部コンクリートとの緊結方法の一例を示す図であって、（ａ）は、比較的引き抜き力が大きい場合、（ｂ）は、比較的引き抜き力が小さい場合を示す。
【符号の説明】
１　　　　　　ボルト補正金物
２　　　　　　基部
３　　　　　　ボルト
４（４Ａ、４Ｂ）　　　　　　穴部
５　　　　　　脚部
１１　　　　引き寄せ金物
１２　　　　アンカーボルト
１３　　　　下部コンクリート
１５　　　　土台
１５ａ　　凹部
１６　　　　座金
１７　　　　ナット
１８　　　　根太
１９　　　　側根太
２０　　　　床下地材
２１　　　　壁下地材
２２　　　　石膏ボード
２３　　　　ラスモルタル
２４　　　　座金
２５　　　　ナット
２６　　　　水切り
２７　　　　下枠
【図１】
2004036704.tif 000003
【図２】
2004036704.tif 000004
【図３】
2004036704.tif 000005
【図４】
2004036704.tif 000006
【図５】
2004036704.tif 000007